(57)【要約】【課題】コストが安価で、異常事態の原因や解決の手がかりを事後に確認でき、且つテレビ電話の有効利用を図ることができるセキュリティ装置を提供すること。【解決手段】本発明のセキュリティ装置１は、住宅内に設置された人体の熱検知センサや衝撃音検知センサ等のセンサ５が検知信号を発すると、玄関ドア２の室内側面に取り付けた携帯テレビ電話３の撮像手段４３が撮影を開始するとともに、サーバ７を介して家主等の携帯通信機９を呼び出して、撮影した室内の映像を送信する。携帯テレビ電話３は、玄関ドア２に脱着自在に取り付けられている。【選択図】　　図１
2004145643.tif 000002
【特許請求の範囲】
【請求項１】
玄関ドアの室内側面に取り付けたテレビ電話と、玄関ドアに設けられた撮影手段と、住宅内に設置されたセンサと、センサからの検知信号を受けるとテレビ電話に作動信号を発するサーバと、サーバを介してテレビ電話との間で送受信可能な携帯通信機とを備え、テレビ電話は撮影手段に接続されており、撮影手段が撮影した画像情報を記録する記録手段と、画像情報を送信する送信手段とを有し、サーバがセンサから検知信号を受けると、撮影手段が撮影を開始してその画像を記録手段に記録するとともに送信手段が画像情報を携帯通信機に送信可能なセキュリティ装置であって、センサは、人体が発する熱を検知する熱検知センサ、室内の衝撃音を検知する衝撃音検知センサ、ガス漏れセンサ、火災センサ、ドアの開閉を検知するドア開閉検知センサからなる群から選択される少なくとも一つのセンサであることを特徴とするセキュリティ装置。
【請求項２】
テレビ電話は、玄関ドアに脱着自在に取り付けられ、玄関ドアから外して携帯可能な携帯型テレビ電話であることを特徴とする請求項１に記載のセキュリティ装置。
【請求項３】
撮影手段は、玄関ドアの室内側に設けた室内撮影用カメラと、玄関ドアの室外側に設けた室外撮影用カメラとを備え、室内撮影用及び室外撮影用カメラは、テレビ電話よりも上方の部位に設けてあり、玄関ドアの上方から室内外を撮影可能としていることを特徴とする請求項１又は２に記載のセキュリティ装置。
【請求項４】
玄関ドアには、携帯テレビ電話とは別体のモニタ画面が設けられ、携帯テレビ電話の記録している画像情報をモニタ画面に表示可能であることを特徴とする請求項２に記載のセキュリティ装置。
【請求項５】
玄関ドアには、情報保存手段が設けられ、情報保存手段は少なくとも室内撮影カメラ及び室外撮影用カメラの画像情報を記録しており、且つ耐火及び耐衝撃性容器内に収納されていることを特徴とする請求項１〜４のいずれかに記載のセキュリティ装置。
【請求項６】
サーバは、空調機、湯沸し機等の電機器又はガス機器の駆動を制御するホームコントローラに接続されており、テレビ電話及びサーバを介して携帯通信機からホームコントローラが制御可能であることを特徴とする請求項１〜５のいずれかに記載のセキュリティ装置。
【請求項７】
テレビ電話には、玄関ドアの取手に電磁波を流す電磁波供給手段が設けられており、電磁波による測定データをテレビ電話の記録手段に記録するとともに、電磁波に基づく人体の健康に関する測定データをモニタに表示可能としてあることを特徴とする請求項１〜６のいずれかに記載のセキュリティ装置。
【発明の詳細な説明】
【０００１】
【発明の属する技術分野】
本発明は、住宅における第三者の不法侵や火災等の異常事態を検知した場合に、これらの異常事態に対して外出先から適切な処理をおこなうことができるセキュリティ装置に関する。
【０００２】
【従来の技術】
一般に、住宅における不法侵入や火災等を防止するため、例えば、人体の熱を検知したり、窓ガラスを割るときの衝撃音を検知するセンサを設けたり、あるいは煙センサを設けて、これらのセンサの検知により所轄官庁やセキュリティ会社等の第三者機関に通報するセキュリティシステムが公知である。しかしながら、これらのセンサの検知に基づく通報が誤報であったり、あるいは不法侵入があった場合に通報があっても間に合わず且つその後に不法侵入者の手がかりが残らない場合がある。
【０００３】
これに対して、特許文献１には、衝撃音検知センサ等の検知信号により室内を撮影する監視カメラ（撮影手段）を作動させ、その画像を外出先にいる家主等が携帯電話により監視カメラの映像を見て自宅の異常事態を確認し、必要に応じて警察へ通報したり、或いは監視カメラの作動が飼い猫等のいたずらであった場合には第三者機関に通報せずに、近所の知人に連絡してそれに対応した適切な対処をおこなうことが開示されている。
【０００４】
【特許文献１】
特開２０００−３６０８８号公報
【０００５】
【発明が解決しようとする課題】
しかしながら、上述した特許文献１に記載の技術では、家主等が外出先から留守宅に予め設置してあるカメラを通じて室内の状況を確認できるが、例えば、不法侵入者があった場合に警察等の所轄官庁に連絡したが既に逃走していた場合に事件解決の手がかりが残らないという場合がある。
【０００６】
また、従来のセキュリティ装置では、監視カメラを駆動したりその映像を記録及び送信する手段を別途設置する必要があるため、コストがかかるという問題がある。
【０００７】
更に、近年、テレビ電話が普及しつつあるが、このような携帯テレビ電話の有効な利用が望まれている。
【０００８】
セキュリティや伝言等の情報を集中し且つこれらの情報が居住者の帰宅後にいち早く配信できることが望まれている。特に、住宅においては、居住者や訪問者、その他の第三者が必ず通る玄関でこのような情報の集中と配信とを行いたいという需要が極めて高い。
【０００９】
本発明は、上述した事情に鑑みなされたもので、玄関において情報集中と配信を行うことができ、しかもコストが安価で、異常事態の原因や解決の手がかりを事後に確認でき、且つテレビ電話の有効利用を図ることができるセキュリティ装置の提供を目的とする。
【００１０】
【課題を解決するための手段】
上記目的を達成するために、請求項１に記載の発明は、玄関ドアの室内側面に取り付けたテレビ電話と、玄関ドアに設けられた撮影手段と、住宅内に設置されたセンサと、センサからの検知信号を受けるとテレビ電話に作動信号を発するサーバと、サーバを介してテレビ電話との間で送受信可能な携帯通信機とを備え、テレビ電話は撮影手段に接続されており、撮影手段が撮影した画像情報を記録する記録手段と、画像情報を送信する送信手段とを有し、サーバがセンサから検知信号を受けると、撮影手段が撮影を開始してその画像を記録手段に記録するとともに送信手段が画像情報を携帯通信機に送信可能なセキュリティ装置であって、センサは、人体が発する熱を検知する熱検知センサ、室内の衝撃音を検知する衝撃音検知センサ、ガス漏れセンサ、火災センサ、ドアの開閉を検知するドア開閉検知センサからなる群から選択される少なくとも一つのセンサであることを特徴とする。
【００１１】
この請求項１に記載の発明で、センサが検知信号を発すると、サーバがその検知信号を受けてテレビ電話に作動信号を発する。テレビ電話では、これに接続されている撮像手段が玄関ドアから撮影を開始し、その撮影した画像をテレビ電話の記録手段に記録する。尚、撮像手段は、玄関ドアから室内又は室外に向けて撮像する。
【００１２】
一方、家主等は外出時には、携帯電話や他の携帯テレビ電話等の携帯通信機を携帯しており、センサの検知に基づいてテレビ電話の送信手段は予め登録されている家主等の携帯通信機を呼び出すとともに、携帯テレビ電話が撮影した画像をその携帯通信機に送信する。
【００１３】
これにより、家主等は自宅で何らかの異常が発生したことを知ることができるとともに、携帯テレビ電話を介して撮影手段が撮影した留守宅の状況を画面で知ることができる。例えば、スイッチ手段が人体の熱を検知する熱検知センサである場合には、家主が外出しているときに不法侵入者が室内に侵入すると、熱検知センサがこの不法侵入者の熱を検知して、サーバを介して家主の携帯通信機を呼び出す。そして、携帯通信機からの要求に応じて室内の画像を家主の携帯通信機に送信するので、家主はその画像を見て、不法侵入者が室内にはいったことを確認でき、すぐに近所の知り合いや警察に連絡することにより、不法侵入者の犯行を未然に防止することができる。即ち、本発明によれば、セキュリティ会社等の第三者機関によらず、外出中の自宅を自己管理できるので、家主の許可なく第三者機関が住宅に入ることがないのでプライバシーを保持することができ、且つ防犯費用の削減を図ることができる。
【００１４】
一方、熱検知センサ等のセンサが飼い猫や犬等を誤って検知してしまったり、衝撃音検知センサが猫や犬のいたずらによる衝撃音を検知してしまった場合には、撮影した画像を外出先で見ることによりそれらの事態を確認でき、誤って警察等に通報するのを防止できる。
【００１５】
さらに、不法侵入者があった場合には、テレビ電話の記録手段が撮影手段の撮影画像を経時で記録しているので、仮に警察等が到着したときには既に不法侵入者が逃げた後であった場合や外出先で時間がない等のために家主等が留守宅からの送信画像を見れなかった場合でも、家主等が帰宅した後に、記録手段の履歴を確認することにより、不法侵入者があったことを確認でき且つこれを検証することができる。記録手段により撮影した画像を記録することにより、後に不法侵入者等の検証がその事件後にでき、保険の適用や不法侵入者の割り出しの証拠とすることができる。
【００１６】
しかも、テレビ電話を玄関ドアに取り付けているので、家主は自宅に戻って室内に入る前に玄関先での画像記録の確認をおこなうことができる。特に、火災やガス漏れ等のセンサが作動した場合には、一般に火元から遠い玄関ドアや外気を取り入れて換気しやすい玄関先での確認ができるので、安全性が高い。
【００１７】
更に、玄関ドアは不法侵入者等が出入りする通り道となる場合が多く、テレビ電話を玄関ドアに設けることにより、かかる者の映像を撮影手段により記録できる。
【００１８】
また、テレビ電話を玄関ドアに設けることにより、家主等が外出するときに、家族等の同居人へのメッセージを画像とともに録画することにより、同居人が外出から帰ってきたときに記録手段が記録した家主等の録画情報を再生することにより、伝言板としても利用することができる。同居人は出かけるときや外出先からの帰宅時に必ず通る玄関で連絡を取ることができ、利便性が良い。
【００１９】
撮影手段はテレビ電話に接続されているので、撮影した影像をテレビ電話から直接送信したり、テレビ電話の記録手段に記録できるので、テレビ電話の機能を利用でき、撮影した影像の送信手段や記録手段を別途設ける必要がないので、設備を簡易にでき且つ設置コストも低減できる。
【００２０】
請求項２に記載の発明は、請求項１に記載の発明において、テレビ電話は、玄関ドアに脱着自在に取り付けられ、玄関ドアから外して携帯可能な携帯型テレビ電話であることを特徴とする。
【００２１】
この請求項２に記載の発明は、請求項１に記載の発明と同様な作用効果を奏するとともに、テレビ電話は携帯テレビ電話であり、この携帯テレビ電話をドアに設けることにより、外出時に携帯テレビ電話を持ち出す場合や帰宅して携帯テレビ電話を戻す場合にも、玄関先おいて容易に持ち出しや戻しができ利便性に優れるとともに、外出時に携帯したい場合に持ち忘れを防止できる。
【００２２】
請求項３に記載の発明は、請求項１又は２に記載の発明において、撮影手段は、玄関ドアの室内側に設けた室内撮影用カメラと、玄関ドアの室外側に設けた室外撮影用カメラとを備え、室内撮影用及び室外撮影用カメラは、テレビ電話よりも上方の部位に設けてあり、玄関ドアの上方から室内外を撮影可能としていることを特徴とする。
【００２３】
この請求項３に記載の発明は、請求項１又は２に記載の発明と同様な作用効果を奏するとともに、玄関ドアに設けた室内撮影用カメラと室外撮影用カメラとにより、室内外側を撮影可能であるから、玄関から室内に入った場合にはその不法侵入者の正面や後姿をとることができ、仮に窓から不法侵入者が入った場合でも住宅から出るときには玄関から出る場合が多いので、玄関ドアに室内及び室外を撮影する撮像手段を設けることにより、かかる不法侵入者の正面や後姿を撮影することができる。
【００２４】
また、玄関に設けたインターホンに連動させて室外撮影用カメラの撮像を開始するようにすれば、訪問者の記録を残すこともできる。
【００２５】
請求項４に記載の発明は、請求項２に記載の発明において、玄関ドアには、携帯テレビ電話とは別体のモニタ画面が設けられ、携帯テレビ電話の記録している画像情報をモニタ画面に表示可能であることを特徴とする。
【００２６】
この請求項４に記載の発明によれば、請求項２に記載の発明と同様な作用効果を奏するとともに、テレビ電話とは別体のモニタ画面を設けているので、携帯テレビ電話が小型のものであっても玄関ドアで写し出す画像を大きくできる。携帯テレビ電話の脱着とは関係なくモニタ画面で画像を見れるので、携帯テレビ電話と関係なくモニタ画面の角度や位置を変えることができ、画像が見やすく且つ取扱い易い。
【００２７】
請求項５に記載の発明は、請求項１〜４のいずれかに記載の発明において、玄関ドアには、情報保存手段が設けられ、情報保存手段は少なくとも室内撮影カメラ及び室外撮影用カメラの画像情報を記録しており、且つ耐火及び耐衝撃性容器内に収納されていることを特徴とする。
【００２８】
この請求項５に記載の発明では、請求項１〜４のいずれかに記載の発明と同様な作用効果を奏するとともに、情報保存手段は、テレビ電話や撮像手段とは別体に設けて、耐火及び耐衝撃性の容器に収納されているから、火災や玄関ドアの破壊等があっても情報保存手段が記録した画像情報を保持することができ、撮像手段が撮影した画像の再生能力を高めることができる。
【００２９】
請求項６に記載の発明は、請求項１〜５のいずれかに記載の発明において、サーバは、空調機、湯沸し機等の電機器又はガス機器の駆動を制御するホームコントローラに接続されており、テレビ電話及びサーバを介して携帯通信機からホームコントローラが制御可能であることを特徴とする。
【００３０】
この請求項６に記載の発明では、請求項１〜５のいずれかに記載の発明と同様な作用効果を奏するとともに、住宅内に設置してある空調機等の駆動制御を外出先から携帯通信機を利用しておこなうことができる。この場合に、携帯通信機では、テレビ電話用のサーバを経由してホームコントローラの制御を行うものであるから、ホームコントローラに別途通信機能を持たせる必要がなく、既存のホームコントローラの利用も容易にでき、安価に住宅内に設置した空調機等の駆動制御を行うことができる。
【００３１】
請求項７に記載の発明は、請求項１〜６のいずれかに記載の発明において、テレビ電話には、玄関ドアの取手に電磁波を流す電磁波供給手段が設けられており、電磁波による測定データをテレビ電話の記録手段に記録するとともに、電磁波に基づく人体の健康に関する測定データをモニタに表示可能としてあることを特徴とする。
【００３２】
この請求項７に記載の発明では、請求項１〜６のいずれかに記載の発明と同様な作用効果を奏するとともに、玄関ドアの取手を通じて電磁波を人体に流し、その電磁波の比較データにより血圧、体脂肪率を測定する。即ち、玄関ドアの開閉時に玄関ドアの取手を握ると、取手を握った者に対して電磁波が流れ、その電磁波を基準データと比較することにより、血圧や体脂肪率を測定する。したがって、外出時や帰宅時における健康管理を玄関で行うことができ、しかもその結果をテレビ電話やモニタにて確認することができるとともに、毎日の状態を記録しておくこともでき、健康管理を容易におこなうことができる。
【００３３】
【発明の実施の形態】
以下に、添付図面を参照して本発明の実施の形態を詳細に説明する。図１は本発明の実施の形態にかかるセキュリティ装置の構成を示すブロック図であり、図２は玄関ドアの縦断面図であり、図３は玄関ドアにおけるテレビ電話の装着部を抜き出して示す図であり、（ａ）は室内側から見た正面であり、（ｂ）は側面図であり、図４はテレビ電話及びモニタにおける主要部の構成を示すブロック図であり、図５はセキュリティ装置の主要動作を示すフローチャートである。
【００３４】
本発明の実施の形態に係るセキュリティ装置１は、主として住宅の玄関ドア２に設けた携帯テレビ電話（テレビ電話）３と、住宅内に設置された各種センサ５５、・・・５と、サーバ７と、携帯通信機９と、室内撮影用カメラ（撮影手段）７１と、室外撮影用カメラ（撮影手段）７３から構成されている。
【００３５】
玄関ドア２は、本実施の形態では、親子ドアであり、子ドア１１の室内側には携帯テレビ電話３が脱着自在な装着部１３が設けられている。装着部１３は携帯テレビ電話の載置部１５と載置部１５の下方に設けられたモニタ取付部１７とから構成されており、載置部１５には、携帯テレビ電話３が脱着自在に係止されている。モニタ取付部１７には、モニタ１９が装着されており、その上部にはヒンジ２１、２１が取り付けられており上下方向に回動自在であるとともに、このモニタ取付部１７には、一端２３ａをモニタ取付部１７にスライド自在に設け、他端２３ｂを回動自在に軸支したガイド部材２３が設けられている。ヒンジ２１、２１とガイド部材２３とにより、モニタ１９は下端を室内側に突き出すようにして傾斜可能であり、モニタ１９を見下ろして見る場合に見やすい。
【００３６】
尚、モニタ取付部１７には、モニタ画面を略垂直に位置（図３（ｂ）の実線で示す位置）させたときに、ガイド部材２３の先端に係止する係止部２５が設けられており、ガイド部材２３がモニタ取付部１７の裏面に収まるようになっている。
【００３７】
各センサ５、５、・・・５は、サーバ７に有線又は無線により送受信可能になっている。各センサ５、５、・・・５は、同種のものを複数配置してもよいし、異なる種類のものを複数設けてもよいが、本実施の形態では、玄関ドア２の開閉を検知する開閉検知センサ、窓ガラスの割れ音等の衝撃音を検知する衝撃音検知センサ、火災検知センサが住宅内の所要箇所に設けてある。センサ５としては、その他にガス漏れセンサ、熱検知センサ等任意のものが使用可能である。
【００３８】
サーバ７は、室内に設置されているパソコン（パーソナルコンピュータ）用のサーバであり、サーバ７の通信回線を利用して、携帯通信機９や携帯テレビ電話３と送受信可能になっている。
【００３９】
携帯通信機９は、本実施の形態では携帯電話であるが、他の携帯テレビ電話であってもよいし、モバイル端末であってもよい。
【００４０】
玄関ドア２の上部には、室内側に室内撮影用カメラ７１が設けられ、室外側に室外撮影用カメラ７３が設けられている。これらのカメラ７１、７３は上下左右に撮影方向を設定自在であり、テレビ電３からの信号によりＯＮ・ＯＦＦや撮影方向の切替が制御されている。また、これらのカメラ７１、７３が撮影した影像は、影像情報として携帯テレビ電話３の記録手段４５に送られ、携帯テレビ電話３からサーバ７を介して携帯通信機９に送信したり、または携帯テレビ電話３を介してモニタ１９に表示したり、更には、後述するようにモニタ１９に内蔵されている情報保存手段５３に記録されるようになっている。
【００４１】
サーバ７には、複数の監視カメラ２７・・・２７とホームコントローラ２９が送受信可能に接続されている。監視カメラ２７・・・２７は、主要な部屋に設けられており、サーバ７を介して携帯テレビ電話３や携帯通信機９からも各監視カメラ２７・・・２７の撮影角度、撮影の開始及び停止が制御可能になっているとともに、各撮影した映像は、それぞれ別個に記録手段４５に記録されており、記録した映像を再生するときには、玄関ドア２に設置してある携帯テレビ電話３の画像と各監視カメラ２７・・・２７及び玄関の室内撮影用カメラ７１及び室外撮影用カメラ７３の画像と必要に応じて切り替えてモニタ１９で見たり、携帯通信機９に送信できるようになっている。
【００４２】
また、サーバ７には、玄関ドア２の外に設けられているインターホン３９も接続されており、訪問者がインターホン３９を押した場合に、室外撮影用カメラ７３を作動させて、訪問者の映像を撮影するとともに携帯テレビ電話３を介して携帯通信機９に送信可能である。このようにして訪問者の映像を送信する場合には、同時にインターホン３９と携帯通信機９とで会話ができるようにもなっている。
【００４３】
ホームコントロ−ラ２９は、住宅内に設けてある空調機３１、湯沸機３３、窓のロック機構３５、部屋の電灯３７に接続されており、これらの駆動開始、停止、及び駆動状態や施錠状態の確認をするものであり、これらの情報や駆動制御をサーバ７及び携帯テレビ電話３を介して行うものである。
【００４４】
ここで、図４を参照して、携帯テレビ電話３とモニタ１９との構成について説明する。携帯テレビ電話３には、制御手段４１、撮像手段４３、記録手段４５、通信手段４７、電磁波供給手段４９、電磁波測定手段４１が設けられており、室内撮影用カメラ７１と室外撮影用カメラ７３とに接続されている。制御手段４１はサーバ７と、モニタ１９に接続されている。携帯テレビ電話３の撮像手段４３はＣＣＤ素子（撮像素子）又はテレビカメラであり、撮影した映像をデジタル信号に変えて制御手段４１に送り、制御手段から記録手段４５に映像信号を送って記録する。通信手段４７は、制御手段４１からの要求があると送信手段４７ａに予め格納されている番号又はアドレスを携帯通信機９にアクセスして呼び出し、制御手段４１が携帯通信機９からの要求を受けると、記録手段４５に記録されている画像情報を通信手段４７を介して送信するものである。
【００４５】
携帯テレビ電話３の撮像手段４３は、携帯テレビ電話３に伝言を記録しておくときに伝言者を撮影したり、携帯テレビ電話の通信中に撮影して音声情報とともに画像情報を送信する。
【００４６】
モニタ１９は、携帯テレビ電話３に設けられている画面３ａよりも充分に大きくて見やすい寸法であり、携帯テレビ電話３からの画像の他、携帯通信機から送信されたメール等の文字情報や、予め携帯テレビ電話３に入力して記録手段４５に記録されている伝言が表示手段５５を介して表示される。
【００４７】
モニタ１９の筐体内には、表示手段５５のほかに情報保存手段５３が設けられており、携帯テレビ電話３に設けられている記録手段４５を介して室内撮影用カメラ７１及び室外撮影用カメラ７３の画像等を定期的に読み込んで保存している。この情報保存手段５３は、例えば、２４時間毎に記録手段４５の画像情報を読み込んで保存したり、あるいは３日間分等、任意の時間や日数分の画像情報を記録して保存することができる。この情報保存手段５３は、耐火及び耐衝撃性容器５７に収納されており、仮に火災や地震等により、住宅が焼失したり損傷した場合であっても、それまでに記録してある画像情報を読み出して再生可能である。
【００４８】
次に、本実施の形態におけるセキュリティ装置１の作用について説明する。図５に示すように、ステップＳ１において、各センサ５、５・・・５のいずれかから検知信号を受けると、ステップＳ２に進み、サーバ７は携帯テレビ電話３の制御手段４１を介して通信手段４７から携帯通信機９に呼び出し信号を発する。同時にステップＳ３で、携帯テレビ電話３を介して室内撮影用カメラ７１及び室外撮影用カメラ７３の撮影を開始し、これらが撮影した画像情報は、記録手段４５に記録する。
【００４９】
一方、外出している家主等は、携帯通信機９が自宅の玄関ドアに設置してある携帯テレビ電話３からの呼び出しを受けると、自宅の異常を確認するため携帯テレビ電話３に画像情報の送信要求を行う。この画像情報送信要求は、例えば、携帯通信機の「＃」ボタンや所定の暗証番号を入力することによりおこなうことができる。
【００５０】
ステップＳ４で画像情報要求信号があると、ステップＳ５に進み、携帯テレビ電話３は、記録手段４５から送信手段４７を介して自宅内の画像の送信を受け、外出先にいる家主等は携帯通信機９でその映像を見ることができる。これにより、携帯通信機９を見ている家主等は不法侵入者の侵入があったのか、火災が発生したのか、あるいはセンサの誤動作なのか、飼い猫のいたずらであったのかを画像により判断でき、しかるべき機関（警察や消防署等）に通報したり、あるいは近所の知り合いに連絡したり、更にはセンサの誤動作のため特に問題でない場合にはそのままにしたり、適切な対応をすることができる。したがって、セキュリティ会社等の第三者機関によらず外出中の自宅を自己管理でき、家主の許可なく第三者機関が住宅に入ることがないのでプライバシーを保持することができ、且つ防犯費用の削減を図ることができる。
【００５１】
尚、室内撮影用カメラ７１や室外撮影用のカメラ７３のみの画像では分かり難い場合、あるいは各部屋の状況を詳細に確認したい場合には、携帯通信機９に所定の暗証番号を入力したり、あるいは所定の操作ボタン、例えば、「選択ボタン」を押すことにより、各室に設けた監視カメラの映像を見ることができる。
【００５２】
一方、記録手段４５に室内撮影用カメラ７１や室外撮影用のカメラ７３の画像情報が所定時間記録されると、その画像情報はモニタ１９にある情報保存手段５３に移動して記録される。尚、記録手段４５と情報保存手段５３とは同時に記録して保存するものであってもよい。
【００５３】
また、外出先から帰宅した家主等は玄関ドア２を開け、室内に入ることなく玄関先で、室内撮影用カメラ７１や室外撮影用のカメラ７３が撮影した映像を再生し、モニタ１９により確認することができる。例えば、すでに不法侵入者が逃げた後であっても、その記録が残っているので、犯人の手がかりや証拠として記録画像を使用することができる。しかも、玄関先で確認できるから、不法侵入者がまだ住宅内に潜んでいる場合であっても直ぐに外に逃げることができる。更に、検知信号を発したセンサがガス漏れ検知センサであった場合には、住宅内に入ることなく、玄関先で記録した画像を確認できるので、室内にガスが充満している場合等にも外気を直ぐにいれたり、逃げたりできるので、安全性が高い。
【００５４】
画像情報を記録した情報保存手段５３は耐火及び耐震容器５７に収納されているから、仮に不法侵入者により携帯テレビ電話３やモニタ１９が破壊されたり、火事により住宅が焼失しても、後からこれらの事故の画像を確認できるので、証拠や事故の手がかりを得やすい。
【００５５】
本実施の形態では、外出時に携帯テレビ電話３を持ち出す場合や、帰宅して携帯テレビ電話３を自宅に戻す場合にも、玄関において容易に持ち出しや戻しができ利便性に優れるとともに、外出時に携帯したい場合に外出時の持ち忘れを防止できる。
【００５６】
次に、本実施の形態におけるその他の機能や使用方法について説明する。
【００５７】
携帯テレビ電話３及びモニタ１９を玄関ドアに設けているので、家主等が外出するときに、玄関ドア２のところで、家族等の同居人へのメッセージを画像とともに録画することにより、同居人が外出から帰ってきたときに記録手段４５が記録した録画を再生することにより、伝言板としても利用することができる。尚、携帯テレビ電話３を持ち出した場合であっても、モニタ１９は玄関ドア２に残っているので、携帯テレビ電話３を持って外出先にいる家主と同居人との伝言やメッセージの送信は可能である。
【００５８】
外出先から携帯通信機９を用いて住宅内に設置してある空調機３１や湯沸し機３３等の制御又は管理おこなう場合には、携帯通信機９では、携帯テレビ電話３との通信により且つサーバ７を経由してホームコントローラ２９の制御を行う。
更に、本実施の形態では、携帯テレビ電話３を設置した玄関ドア２において、居住者等の健康管理を行うことができるものである。即ち、玄関ドア２の取手５０に電磁波供給手段４９から電磁波を流し、取手５０を通じて電磁波を人体に流し、体内を流れた電磁波の比較データにより人体の血圧、体脂肪率を測定する。詳しくは、家主や同居人が玄関ドア２の開閉時に玄関ドアの取手５０を握ると、取手５０を握った者に対して電磁波が流れ、その電磁波を基準データと比較することにより、血圧や体脂肪率を測定する。したがって、外出時や帰宅時における健康管理を玄関で行うことができ、しかもその結果は記録手段４５に記録されるから、携帯テレビ電話３やモニタ１９にて測定結果を確認することができるとともに、毎日の健康状態を記録しておくこともでき、健康管理を容易におこなうことができる。
【００５９】
本発明は、上述した実施の形態に限定されず、本発明の要旨を逸脱しない範囲で種々変形可能である。
【００６０】
例えば、携帯テレビ電話３は、玄関ドアに設置するものであれば、固定のテレビ電話であってもよい。
【００６１】
電磁波供給手段４９及び測定手段５１は、携帯テレビ電話３に設けることに限らず、携帯テレビ電話３やサーバ７とは別体にして設け、測定手段５１により測定した血圧や体脂肪率等の健康値を携帯テレビ電話３の記録手段４５に記録するようにしてもよい。
【００６２】
玄関ドア２は、引戸であってもよくドアの種類は限定されず、親子ドアにあっては親ドアに設けるものであってもよい。
【００６３】
耐火及び耐震性容器５７は、モニタ１９に設けることに限らず、携帯テレビ電話３と別体であれば、モニタ１９と別に玄関ドア２に設けたり、サーバ７に設けるものであってもよい。
【００６４】
セキュリティ装置１を設置している住宅の家主等が保有する田畑にも、監視カメラ２７を設けて、住宅から離れたところにある田畑を管理するものであってもよい。
【００６５】
セキュリティ装置１は、ナースセンター等の遠隔介護支援システムに接続して、携帯通信機に換えてナースセンター等の通信システムからテレビ電話３やサーバ７にアクセスして操作するものであってもよい。
【００６６】
【発明の効果】
請求項１に記載の発明によれば、住宅内に設置してあるセンサの検知により自宅に何らかの異常が発生した場合には、携帯通信機が玄関ドアにあるテレビ電話から通知を受け、撮影手段が撮影した室内又は室外の状況を画面で知ることができるので、不法侵入者の侵入や火災等やセンサの誤作動を確認でき、適切な対応を取ることができる。また、セキュリティ会社等の第三者機関によらず、外出中の自宅を自己管理できるので、第三者機関が住宅に入ることがなくプライバシーを保持することができるとともに防犯費用の削減を図ることができる。
【００６７】
さらに、不法侵入者があった場合には帰宅後に、記録手段の履歴を確認することにより、不法侵入者の手がかりや検証を行うことができる。
【００６８】
撮影手段は、テレビ電話に接続されているから、撮影手段が撮影した影像を別途設備や装置を設けずに携帯通信機に送信でき、撮影手段が撮影した影像の送信を容易に且つ低コストで行うことができる。
【００６９】
しかも、テレビ電話を玄関ドアに取り付けているので、家主等は玄関先で画像記録の確認をおこなうことができ、火災やガス漏れ等を検知するセンサが作動した場合には、玄関から直ぐに逃げることができ安全性が高い。
【００７０】
更に、玄関ドアは不法侵入者等が出入りする場合が多く、テレビ電話を玄関ドアに設けることにより、かかる者の映像を撮像手段により記録できる。
【００７１】
また、テレビ電話を玄関ドアに設けることにより、家主等が外出するときに、家族等の同居人へのメッセージを画像とともに録画することにより、同居人が外出から帰ってきたときに記録手段が記録した録画を再生することにより、伝言板としても利用することができる。
【００７２】
撮影手段はテレビ電話に接続されているので、テレビ電話の機能を利用でき、撮影した影像の送信手段や記録手段を別途設ける必要がないので、設備を簡易にでき且つ設置コストも低減できる。
【００７３】
請求項２に記載の発明によれば、請求項１に記載の効果を奏するとともに、携帯テレビ電話をドアに設けることにより、外出時に携帯テレビ電話を持ち出す場合や帰宅して携帯テレビ電話を自宅に戻す場合にも、玄関先おいて容易に持ち出しや戻しができ利便性に優れるとともに、外出時に携帯したい場合に外出時の持ち忘れを防止できる。
【００７４】
請求項３に記載の発明によれば、請求項１又は２に記載の発明と同様な効果を奏するとともに、テレビ電話の撮像手段は、玄関ドアから室内側を撮影するから、玄関から室内に入る不法侵入者の後姿及び出るときには正面から不法侵入者を撮影することができる。また、玄関に設けたインターホンに連動させて撮像を開始するようにすれば、訪問者の記録を残すこともできる。
【００７５】
請求項４に記載の発明によれば、請求項２に記載の発明と同様な効果を奏するとともに、玄関ドアにはテレビ電話とは別体のモニタ画面を設けているので、小型の携帯テレビ電話であっても玄関ドアで写し出す画像の大きさを確保できる。また、携帯テレビ電話の脱着位置とは関係なくモニタ画面のみを見易い位置に取り付けたり、位置を変えたりできる。また、玄関ドアからテレビ電話を持ち出した場合であっても、家主等がモニタ画面を通じて同居人に伝言を残すことができる。
【００７６】
請求項５に記載の発明によれば、請求項１〜４のいずれかに記載の発明と同様な効果を奏するとともに、情報保存手段は、テレビ電話とは別体に設け且つ耐火及び体衝撃性の容器に収納されているから、火災や玄関ドアの破壊等があっても情報保存手段が記録した情報を損傷することなく保持することができる。
【００７７】
請求項６に記載の発明によれば、請求項１〜５のいずれかに記載の発明と同様な効果を奏するとともに、住宅内に設置してある空調機等の駆動制御を外出先から携帯通信機を利用しておこなうことができる。この場合に、携帯通信機では、テレビ電話用のサーバを経由してホームコントローラの制御を行うものであるから、ホームコントローラに別途通信機能を持たせる必要がなく、既存のホームコントローラの利用も容易にできる。
【００７８】
請求項７に記載の発明によれば、請求項１〜６のいずれかに記載の発明と同様な効果を奏するとともに、玄関ドアの開閉時に玄関ドアの取手を握ると、取手を握った者に対して電磁波が流れ、その者の血圧や体脂肪率を測定できるので、外出時や帰宅時における健康管理を玄関で行うことができ、しかもその結果をテレビ電話を通じて確認することができるとともに、毎日の健康管理データを記録しておくこともできる。
【図面の簡単な説明】
【図１】本発明の実施の形態にかかるセキュリティ装置の構成を示すブロック図である。
【図２】図１に示す玄関ドアの縦断面図である。
【図３】玄関ドアにおけるテレビ電話の装着部を抜き出して示す図であり、（ａ）は室内側から見た正面であり、（ｂ）は側面図である。
【図４】テレビ電話及びモニタの概略的構成を示すブロック図である。
【図５】セキュリティ装置の主要動作を示すフローチャートである。
【符号の説明】
１　　セキュリティ装置
２　　玄関ドア
３　　携帯テレビ電話
５　　センサ
７　　サーバ
９　　携帯通信機
１９　モニタ
２９　ホームコントローラ
４１　制御手段
４３　テレビ電話の撮像手段
４５　記録手段
４７　通信手段
４９　電磁波供給手段
５３　情報保持手段
５７　耐火及び耐衝撃容器
７１　撮像手段（室内撮影用カメラ）
７３　撮像手段（室外撮影用カメラ）
【図１】
2004145643.tif 000003
【図２】
2004145643.tif 000004
【図３】
2004145643.tif 000005
【図４】
2004145643.tif 000006
【図５】
2004145643.tif 000007